【手続補正書】
【提出日】平成30年5月23日(2018.5.23)
【手続補正１】
【補正対象書類名】特許請求の範囲
【補正対象項目名】全文
【補正方法】変更
【補正の内容】
【特許請求の範囲】
【請求項１】
被写体の光学像を撮像面上に結像する光学系を有するレンズユニットが着脱可能に取り付けられるカメラ本体であって、
前記撮像面を有し、前記光学系からの光を電気信号に変換して画像を生成する撮像部と、
前記カメラ本体の少なくともピッチング方向、ヨーイング方向及びローリング方向の動きを検出可能な第１のブレ検出部と、
前記第１のブレ検出部による検出結果に基づき、前記ピッチング方向、前記ヨーイング方向及び前記ローリング方向の動きにより生じるブレを補正可能な第１のブレ補正部と、
前記レンズユニットと通信可能であり、前記第１のブレ検出部及び前記第１のブレ補正部を制御する第１の制御部と、
を備え、
前記第１の制御部は、前記レンズユニットが前記ピッチング方向及び前記ヨーイング方向の動きにより生じるブレを補正する第２のブレ補正部を有するか否かを示す情報を取得し、
前記第１のブレ補正部は、前記レンズユニットが前記第２のブレ補正部を動作する場合は、前記ピッチング方向及び前記ヨ−イング方向の動きを除く前記ローリング方向の動きにより生じるブレを補正する、
カメラ本体。
【請求項２】
前記第１の制御部は更に、前記カメラ本体が動画を撮像する状態かどうかを判定し、
前記第１のブレ補正部は、前記カメラ本体が動画を撮像する状態である場合は、前記ローリング方向の動きにより生じるブレのみを補正する、
請求項１に記載のカメラ本体。
【請求項３】
前記第１の制御部は、前記第１のブレ補正部が前記ローリング方向の動きにより生じるブレのみを補正する場合は、前記レンズユニットに対し、前記ピッチング方向及び前記ヨーイング方向の動きにより生じるブレを補正するよう指令する、
請求項１又は２に記載のカメラ本体。
【請求項４】
前記第１のブレ補正部は更に、並進方向の動きにより生じるブレを補正可能であり、
前記第１の制御部は、前記第２のブレ補正部が前記並進方向の動きにより生じるブレを補正する機能を有するか否かを示す情報を取得し、
前記第１の制御部は、前記第２のブレ補正部が前記並進方向の動きにより生じるブレを補正する機能を有する場合、前記第１のブレ補正部が前記並進方向の動きにより生じるブレを補正しないよう制御する、
請求項１から３のいずれかに記載のカメラ本体。
【請求項５】
前記第１の制御部は、前記第１のブレ補正部が前記並進方向の動きにより生じるブレを補正しない場合、前記レンズユニットに対し、前記並進方向の動きにより生じるブレを補正するよう指令する、
請求項４に記載のカメラ本体。
【請求項６】
前記第１のブレ補正部は、並進方向の動きにより生じるブレを補正可能であり、
前記第１の制御部は、前記カメラ本体が接写撮影を行う状態かどうかを判定し、該判定に応じて、前記第１のブレ補正部によって前記並進方向の動きにより生じるブレを補正するかどうかを決定する、
請求項１から５のいずれかに記載のカメラ本体。
【請求項７】
前記第１の制御部は、前記カメラ本体が接写撮影を行う状態であると判定した場合のみ、前記第１のブレ補正部により前記並進方向の動きにより生じるブレを補正するよう制御する、
請求項６に記載のカメラ本体。
【請求項８】
請求項１から７のいずれかに記載のカメラ本体と、
被写体からの光を集光する光学系を有し、前記カメラ本体に着脱可能に取り付けられ、前記カメラ本体と通信可能であるレンズユニットと、
を備える、
カメラシステム。
【請求項９】
前記レンズユニットは、
前記ピッチング方向及び前記ヨーイング方向の動きを検出可能である第２のブレ検出部と、
前記第２のブレ検出部による検出結果に基づき、前記ピッチング方向及び前記ヨーイング方向の動きにより生じるブレを補正可能である第２のブレ補正部と、
前記カメラ本体と通信可能であり、前記第２のブレ検出部及び前記第２のブレ補正部を制御する第２の制御部と、
を備え、
前記第２の制御部は、前記レンズユニットが前記第２のブレ補正部を有するか否かを示す情報を前記カメラ本体に送信する、
請求項８に記載のカメラシステム。
【請求項１０】
被写体からの光を集光する光学系を有するレンズユニットが着脱可能に取り付けられ、
前記光学系からの光を電気信号に変換して画像を生成する撮像部を備えるカメラ本体のブレ補正制御方法であって、
前記レンズユニットがピッチング方向及びヨーイング方向の動きにより生じるブレを補正可能か否かを示す情報を取得するレンズ情報取得ステップと、
前記レンズ情報取得ステップにおいて取得した情報に基づき、前記レンズユニットが前記ピッチング方向及び前記ヨーイング方向の動きにより生じるブレを補正可能かどうかを判定する判定ステップと、
前記判定ステップにおいて前記レンズユニットが前記ピッチング方向及び前記ヨーイング方向の動きにより生じるブレを補正可能であると判定した場合は、前記カメラ本体において前記ピッチング方向及び前記ヨ−イング方向の動きを除く前記ローリング方向の動きにより生じるブレを補正するブレ補正ステップと、
を含む、
カメラ本体のブレ補正制御方法。
【請求項１１】
被写体からの光を集光する光学系を有するレンズユニットが着脱可能に取り付けられ、
前記光学系からの光を電気信号に変換して画像を生成する撮像部を備えるカメラ本体において、
前記レンズユニットがピッチング方向及びヨーイング方向の動きにより生じるブレを補正可能か否かを示す情報を取得するレンズ情報取得ステップと、
前記レンズ情報取得ステップにおいて取得した情報に基づき、前記レンズユニットが前記ピッチング方向及び前記ヨーイング方向の動きにより生じるブレを補正可能かどうかを判定する判定ステップと、
前記判定ステップにおいて前記レンズユニットが前記ピッチング方向及び前記ヨーイング方向の動きにより生じるブレを補正可能であると判定した場合は、前記カメラ本体において前記ピッチング方向及び前記ヨ−イング方向の動きを除く前記ローリング方向の動きにより生じるブレを補正するブレ補正ステップと、
を、コンピュータに実行させるブレ補正制御プログラム。
【手続補正２】
【補正対象書類名】明細書
【補正対象項目名】０００５
【補正方法】変更
【補正の内容】
【０００５】
本開示におけるカメラ本体は、被写体の光学像を撮像面状に結像する光学系を有するレンズユニットが着脱可能に取り付けられるカメラ本体であって、撮像面を有し、光学系からの光を電気信号に変換して画像を生成する撮像部と、カメラ本体の少なくともピッチング方向、ヨーイング方向及びローリング方向の動きを検出可能な第１のブレ検出部と、第１のブレ検出部による検出結果に基づき、ピッチング方向、ヨーイング方向及びローリング方向の動きにより生じるブレを補正可能な第１のブレ補正部と、レンズユニットと通信可能であり第１のブレ検出部及び第１のブレ補正部を制御する第１の制御部と、を備える。第１の制御部は、レンズユニットがピッチング方向及びヨーイング方向の動きにより生じるブレを補正する第２のブレ補正部を有するか否かを示す情報を取得し、第１のブレ補正部は、レンズユニットが第２のブレ補正部を動作する場合は、前記ピッチング方向及び前記ヨ−イング方向の動きを除くローリング方向の動きにより生じるブレを補正する。
【手続補正３】
【補正対象書類名】明細書
【補正対象項目名】０００６
【補正方法】変更
【補正の内容】
【０００６】
ここでは、カメラ本体の第１の制御部は、レンズユニットがピッチング方向及びヨーイング方向の動きにより生じるブレを補正する第２のブレ補正部を有するか否かを示す情報を取得し、レンズユニットが第２のブレ補正部を有する場合は、カメラ本体の第１のブレ補正部は、前記ピッチング方向及び前記ヨ−イング方向の動きを除くローリング方向の動きにより生じるブレを補正する。このため、カメラ本体では、ローリング方向のブレ成分の補正角を確保することができるため、ローリング方向のブレ成分の補正の効果を最大限に発揮させることが可能となる。
【手続補正４】
【補正対象書類名】明細書
【補正対象項目名】０００８
【補正方法】変更
【補正の内容】
【０００８】
さらに、本開示におけるブレ補正制御方法は、被写体の光光学像を撮像面状に結像する光学系を有するレンズユニットが着脱可能に取り付けられ、撮像面を有し、光学系からの光を電気信号に変換して画像を生成する撮像部を備えるカメラ本体のブレ補正制御方法であって、レンズユニットがピッチング方向及びヨーイング方向の動きにより生じるブレを補正可能か否かを示す情報を取得するレンズ情報取得ステップと、レンズ情報取得ステップにおいて取得した情報に基づき、レンズユニットがピッチング方向及びヨーイング方向の動きにより生じるブレを補正可能かどうかを判定する判定ステップと、判定ステップにおいてレンズユニットがピッチング方向及びヨーイング方向の動きにより生じるブレを補正する場合は、カメラ本体において前記ピッチング方向及び前記ヨ−イング方向の動きを除くローリング方向の動きにより生じるブレを補正するブレ補正ステップと、を含む。